(57)【特許請求の範囲】
【請求項１】
第１レンズ群と第２レンズ群とから少なくとも構成され、被写体像を結像する撮影光学系と、前記撮影光学系を介して被写体像を撮像する撮像手段と、前記第１レンズ群を前後に駆動する第１駆動手段と、前記第２レンズ群を前後に駆動する第２駆動手段と、視野像を形成する光学ファインダと、前記第１駆動手段と前記第２駆動手段とを制御して、前記撮影光学系のズーム量を可変するズーム制御手段と、前記第１駆動手段を制御して、前記撮影光学系の焦点位置を可変する焦点制御手段と、前記第２駆動手段の駆動力を、前記第２レンズ群の移動を介して前記光学ファインダ側へ伝達し、前記光学ファインダのレンズをズーム移動させるカム連動機構とを有し、前記撮影光学系と前記光学ファインダとを並べて配置し、その並びと交差する向きに形成される２つのスペースに、前記第１駆動手段と前記第２駆動手段とをそれぞれ配置し、前記撮影光学系と前記ファインダ光学系と前記第１駆動手段と前記第２駆動手段とに囲まれた中間スペースに、前記第１レンズ群と前記第２レンズ群とが共用するガイド軸を配置し、前記光学ファインダと前記第１駆動手段および前記第２駆動手段との間に、前記第１レンズ群および前記第２レンズ群の駆動方向に沿って延在するように前記カム連動機構を配置すると共に、前記撮影光学系および前記第２駆動手段、前記光学ファインダが、前記カム連動機構を挟んで、放射状に近接配置されてなる
ことを特徴とする光学ユニットを有するカメラ。
【請求項２】
請求項１に記載の光学ユニットを有するカメラにおいて、前記第１レンズ群のレンズ位置を検出するための第１センサと、前記第２レンズ群のレンズ位置を検出するための第２センサとを有し、前記第１駆動手段の位置からレンズ光軸方向に沿って形成されるスペースに、前記第１センサ（もしくは前記第２センサ）を配置し、前記第２駆動手段の位置からレンズ光軸方向に沿って形成されるスペースに、前記第２センサ（もしくは前記第１センサ）を配置してなることを特徴とする光学ユニットを有するカメラ。
【請求項３】
請求項１または請求項２に記載の光学ユニットを有するカメラにおいて、前記第１駆動手段が、前記第２駆動手段よりも制御分解能が細かいことを特徴とする光学ユニットを有するカメラ。
【請求項４】
請求項１ないし請求項３のいずれか１項に記載の光学ユニットを有するカメラにおいて、前記第２駆動手段が、前記第１駆動手段よりも高推力かつ長ストロークであることを特徴とする光学ユニットを有するカメラ。
【発明の詳細な説明】
【０００１】
【発明の属する技術分野】
本発明は、撮影光学系と光学ファインダとを組み合わせた光学ユニットを有するカメラに関する。特に、本発明は、撮影光学系と光学ファインダとに組み合わせて、撮影光学系のレンズ駆動機構を配置することにより全体の省スペース化を図る技術に関する。
【０００２】
【従来の技術】
従来、特開平９−１６３１９６号公報において、電子カメラの内部レイアウトの一例が開示されている。図６は、この内部レイアウトを説明するための図である。
図６において、電子カメラ８０の正面から向かって左脇に、撮影光学系８１が配置される。この撮影光学系８１の光軸上に、撮像素子８２が配置される。この撮影光学系８１の長手方向の奥には、バッテリ８３が配置される。
【０００３】
また、撮影光学系８１およびバッテリ８３に隣接して、長尺状の光学ファインダ８４が配置される。
この光学ファインダ８４の対物側レンズの右隣には、閃光ユニット８５が配置される。この閃光ユニット８５の後方には、プリンタ８６およびＤＣ／ＤＣコンバータ８７が略一列に配置される。これらの閃光ユニット８５，プリンタ８６およびＤＣ／ＤＣコンバータ８７によりコの字状に囲まれたスペースには、プリンタ用ロール紙８８およびプリンタ用モータ８９が配置される。
以上のような無駄のないレイアウト構成により、電子カメラ８０全体の小型化を図り、電子カメラ８０の携帯性および操作性を一段と高めることが可能となる。
【０００４】
【発明が解決しようとする課題】
ところで、上述した撮影光学系８１に、オートフォーカス機能やパワーズーム機能を付加する場合、新たに、焦点制御用のモータやズーム駆動用のモータなどを配する必要が生じる。この場合、モータ群の設置スペースを新たに設ける分だけ、電子カメラの外形が大きくなるという問題が生じる。
【０００５】
また、これらのモータ群を撮影光学系８１の近くに配置した場合、撮影光学系８１と光学ファインダ８４とを近接して配置することが困難となる。その結果、撮影光学系８１と光学ファインダ８４との光軸間距離が離れ、光学ファインダ８４のパララックスが大きくなるという問題点が生じる。
そこで、請求項１に記載の発明では、これらの問題点を解決するために、撮影光学系および光学ファインダからなる光学ユニットにモータなどを空間効率よく配置したカメラを提供することを目的とする。
【０００６】
また、請求項１に記載の発明では、上述した目的に加えて、上記の光学ユニット内に撮影光学系のガイド軸を空間効率よく配置し、かつレンズ駆動時のがたつきを低く抑えることが可能なカメラを提供することを目的とする。
さらに、請求項１に記載の発明では、上述した目的に加えて、上記の光学ユニット内に撮影光学系と光学ファインダとの連動機構を空間効率よく設けたカメラを提供することを目的とする。
請求項２に記載の発明では、請求項１の目的に加えて、上記の光学ユニット内にレンズ位置の検出センサを空間効率よく配置し、かつレンズ位置の検出精度を高めることが可能なカメラを提供することを目的とする。
【０００７】
請求項３に記載の発明では、請求項１の目的に加えて、合焦精度の向上を図るため、撮影光学系の駆動手段の性能バランスを適正化したカメラを提供することを目的とする。
請求項４に記載の発明では、請求項１の目的に加えて、ズーム性能の向上を図るため、撮影光学系の駆動手段の性能バランスを適正化したカメラを提供することを目的とする。
【０００８】
【課題を解決するための手段】
（請求項１）
請求項１に記載の発明は、第１レンズ群と第２レンズ群とから少なくとも構成され、被写体像を結像する撮影光学系と、撮影光学系を介して被写体像を撮像する撮像手段と、第１レンズ群を前後に駆動する第１駆動手段と、第２レンズ群を前後に駆動する第２駆動手段と、視野像を形成する光学ファインダと、第１駆動手段と第２駆動手段とを制御して、撮影光学系のズーム量を可変するズーム制御手段と、第１駆動手段を制御して、撮影光学系の焦点位置を可変する焦点制御手段と、第２駆動手段の駆動力を、第２レンズ群の移動を介して光学ファインダ側へ伝達し、光学ファインダのレンズをズーム移動させるカム連動機構とを有し、撮影光学系と光学ファインダとを並べて配置し、その並びと交差する向きに形成される２つのスペースに、第１駆動手段と第２駆動手段とをそれぞれ配置し、撮影光学系とファインダ光学系と第１駆動手段と第２駆動手段とに囲まれた中間スペースに、第１レンズ群と第２レンズ群とが共用するガイド軸を配置し、光学ファインダと第１駆動手段および第２駆動手段との間に、第１レンズ群および第２レンズ群の駆動方向に沿って延在するようにカム連動機構を配置すると共に、撮影光学系および第２駆動手段、光学ファインダが、カム連動機構を挟んで、放射状に近接配置されてなることを特徴とする。
【０００９】
一般に、撮影光学系は円筒形状など丸みを持った形状であるため、撮影光学系と光学ファインダとを並べると、撮影光学系の丸みに沿って２つの空きスペースが生じる。この２つの空きスペースに、第１の駆動手段と第２の駆動手段とをそれぞれ配置することにより、光学ユニットの小型化を達成することができる。
また、上記構成により、撮影光学系と光学ファインダとを近づけて配置することができるので、光学ファインダのパララックスを小さく抑えることも可能となる。
【００１１】
また、一般に、撮影光学系，光学ファインダ，第１駆動手段および第２駆動手段に囲まれた中間部には、空きスペースが生じる。この中間スペースに一部差し込むように、長尺状のガイド軸を配することにより、光学ユニットを小型化することが可能となる。
また、このように中間スペースにガイド軸を配することにより、ガイド軸と第１駆動手段とが互いに接近して配置される。そのため、「第１駆動手段による力の作用位置」と「ガイド軸」との距離が短くなり、相互間に働く反力の影響が軽減する。その結果、第１レンズ群に生じるたわみ変形や動摩擦力などが小さくなり、第１レンズ群のスライド移動に伴うがたつきなどを小さく抑えることが可能となる。また同様の理由から、第２レンズ群についても、スライド移動に伴うがたつきなどを小さく抑えることが可能となる。
また、このような構成では、第２駆動手段の駆動力が、第２レンズ群を介して、光学ファインダ側へ伝達される。したがって、第２駆動手段から光学ファインダへ駆動力を伝達するための迂回経路を別途設ける必要がなく、光学ユニットを小型化することが可能となる。
また、上述したように、撮影光学系，光学ファインダおよび第２駆動手段の３つは、放射状に近接して配置される。そのため、第２駆動手段の駆動力を、撮影光学系および光学ファインダに低損失で伝達することが可能となる。
さらに、第２レンズ群と光学ファインダとが連動機構により連結されるため、第２レンズ群側の固有振動などを光学ファインダ側である程度吸収することも可能となる。したがって、第２レンズ群のズーム移動を一段と円滑化することも可能となる。
特に、このような構成では、撮影光学系と光学ファインダとの中間部にガイド軸が配されるため、連動機構を伝達する駆動力はガイド軸の近くを通過する。このとき、「第２レンズ群をスライドさせる以外の余分な力」はガイド軸で一旦吸収されるため、光学ファインダ側へ効率よく駆動力を伝達することが可能となる。
【００１２】
（請求項２）
請求項２に記載の発明は、請求項１に記載の光学ユニットを有するカメラにおいて、第１レンズ群のレンズ位置を検出するための第１センサと、第２レンズ群のレンズ位置を検出するための第２センサとを有し、第１駆動手段の位置からレンズ光軸方向に沿って形成されるスペースに、第１センサ（もしくは前記第２センサ）を配置し、第２駆動手段の位置からレンズ光軸方向に沿って形成されるスペースに、第２センサ（もしくは前記第１センサ）を配置してなることを特徴とする。
【００１３】
通常、第１駆動手段および第２駆動手段は、撮影光学系および光学ファインダに比べて全長が短い。そのため、これらの駆動手段の位置からレンズ光軸に沿って空きスペースが生じる。この空きスペースに第１センサおよび第２センサをそれぞれ配置することにより、光学ユニットを小型化することが可能となる。
特に、請求項１のような構成では、中間部のガイド軸に近接して、第１センサおよび第２センサが配置される。この場合、第１センサおよび第２センサは、ガイド軸の近くでレンズ位置を検出することとなる。そのため、レンズ位置の検出値に、レンズ群のたわみなどの誤差が含まれるおそれは少なく、第１センサおよび第２センサの検出精度を一段と高めることが可能となる。
【００１７】
（請求項３）
請求項３に記載の発明は、請求項１または請求項２に記載の光学ユニットを有するカメラにおいて、第１駆動手段が、第２駆動手段よりも制御分解能が細かいことを特徴とする。
このような構成では、第１駆動手段を介して第１レンズ群を細かく位置決めすることが可能となる。そのため、撮影光学系の合焦精度を一段と高めることができる。
【００１８】
（請求項４）
請求項４に記載の発明は、請求項１ないし請求項３のいずれか１項に記載の光学ユニットを有するカメラにおいて、第２駆動手段が、第１駆動手段よりも高推力かつ長ストロークであることを特徴とする。
このような構成では、第２駆動手段から高推力を得ることができるので、第２レンズ群を高速移動させることが可能となる。そのため、撮影光学系のズ−ム速度を高速化することが可能となる。
また、第２駆動手段が長ストロ−クで第２レンズ群を移動するので、撮影光学系のズ−ム倍率を高めることも可能となる。
【００１９】
【発明の実施の形態】
以下、図面に基づいて本発明における実施の形態を説明する。
図１は、本実施形態における電子カメラの外観を示す図である。
図１において、電子カメラは、液晶モニタなどを設けたカメラボディ１と、カメラボディ１に対し回動自在に取り付けられた回動部２とから構成される。この回動部２の内部には、光学ユニット３が配置される。
【００２０】
図２は、図１中に示す光学ユニット３のＡ−Ａ′横断面を示す説明図である。
図２において、光学ユニット３は、撮影光学系１０と光学ファインダ３０との並びから概略構成される。この撮影光学系１０には、対物側から順に、第１レンズ群１１，第２レンズ群１２および第３レンズ１３が配置される。
この第２レンズ群１２を主として動かし、かつ第１レンズ群１１を補正用に若干動かすことにより、撮影光学系１０のズーム倍率（焦点距離）が変化する。
【００２１】
また、第１レンズ群１１を単体で前後駆動することにより、撮影光学系１０の焦点調節が行われる。
この第３レンズ１３の後方には、赤外線カット用のフィルタ１４ａを介して、撮像素子１４が配置される。これらの第３レンズ１３，フィルタ１４ａおよび撮像素子１４は、ＣＣＤホルダー１４ｂによって一体に保持される。
【００２２】
この撮影光学系１０と光学ファインダ３０との隙間には、ガイド軸２１が配置される。また、光学ユニット３のケーシング３ａと撮影光学系１０との隙間には、回転止め軸２２が配置される。これらのガイド軸２１および回転止め軸２２の両端は、ケーシング３ａとＣＣＤホルダー１４ｂとによってそれぞれ固定される。
一方、上記した第１レンズ群１１は、第１レンズ室１１ａによりレンズ周囲を保持される。この第１レンズ室１１ａの両脇からは把持部１１ｚが突出する。これらの把持部１１ｚが、ガイド軸２１と回転止め軸２２とをそれぞれ掴むことにより、第１レンズ群１１は撮影光路の中央に位置決めされる。
【００２３】
また、上記の第２レンズ群１２は、第２レンズ室１２ａにより周囲を保持される。この第２レンズ室１２ａの両脇からは把持部１２ｚが突出する。これらの把持部１２ｚがガイド軸２１と回転止め軸２２とを掴むことにより、第２レンズ群１２は撮影光路の中央に位置決めされる。
第２レンズ群１２の直前には、シャッタユニット１２ｂが配置される。このシャッタユニット１２ｂは、第２レンズ室１２ａに固定され、第２レンズ群１２と共に前後移動する。
【００２４】
さらに、第２レンズ室１２ａの把持部１２ｚからは、フォロアピン１２ｃが突出する。このフォロアピン１２ｃは、カム板２３のカム溝にはめ込まれる。このカム板２３は、フォロアピン１２ｃの前後移動に伴って移動する。
このカム板２３の残りのカム溝２つには、光学ファインダ３０側のフォロアピン３１ｃ，３２ｃがそれぞれはめ込まれる。このフォロアピン３１ｃは、光学ファインダ３０の第１ファインダレンズ３１に突設される。また、フォロアピン３２ｃは、光学ファインダ３０の第２ファインダレンズ３２に突設される。
【００２５】
このようなカム板２３により、第２レンズ群１２のズーム移動に連動して、第１ファインダレンズ３１および第２ファインダレンズ３２がズーム移動する。
この第２ファインダレンズ３２の後方にはプリズム３３が配置される。このプリズム３３は、光学ファインダ３０により形成される視野像を正立させて、接眼窓まで導く。
【００２６】
図３は、図２中に示すＢ−Ｂ′縦断面を示す説明図である。
図４は、図２中に示すＣ−Ｃ′縦断面を示す説明図である。
図３および図４に示すように、撮影光学系１０と光学ファインダ３０との並びに対して、交差する向きに形成されるスペースに、第１モータ１５と第２モータ１８とがそれぞれ配置される。また、これらの撮影光学系１０，光学ファインダ３０，第１モータ１５および第２モータ１８とに囲まれた中間スペースに、ガイド軸２１が配置される。
【００２７】
図５は、図２中に示すＤ−Ｄ′縦断面を示す説明図である。
図５に示すように、第１レンズ室１１ａの把持部１１ｚは、コの字状に形成され、２カ所でガイド軸２１を掴む。この把持部１１ｚの後ろ側には、スクリュー受け部１１ｄが突設される。スクリュー受け部１１ｄには、第１モータ１５のスクリュー１５ａが当接される。一方、把持部１１ｚの前側には、バネ１７の一端が固定され、第１レンズ室１１ａを後ろに引き戻す付勢力がかかる。
【００２８】
また、第１モータ１５の位置から撮影光軸に沿った前方スペースには、ホトインタラプタ１６が配置される。このホトインタラプタ１６の間を、把持部１１ｚに突設されるスリット１１ｅが通過する。このホトインタラプタ１６は、第１レンズ群１１の原点位置を検出するための位置センサである。
上記した第１レンズ群１１のスライド機構は、
（１）ストローク長・・・７ｍｍ
（２）推力・・・・・・・５０ｇｆ
（３）制御分解能・・・・１．５μｍ
に設定される。
【００２９】
一方、第２レンズ室１２ａの把持部１２ｚは、逆コの字状に形成され、２カ所でガイド軸２１を掴む。この把持部１２ｚには、連結部１２ｄを介してコマ１８ｂが連結される。このコマ１８ｂは、第２モータ１８のボールねじ１８ａの正逆二方向の回転により前後に移動する。
また、第２モータ１８の位置から撮影光軸に沿った前方スペースには、ホトインタラプタ１９が配置される。このホトインタラプタ１９の間を、把持部１２ｚに突設されるスリット１２ｅが通過する。このホトインタラプタ１９は、第２レンズ群１２の原点位置を検出するための位置センサである。
【００３０】
上記した第２レンズ群１２のスライド機構は、
（１）ストローク長・・・２０ｍｍ
（２）推力・・・・・・・２００ｇｆ
（３）制御分解能・・・・１０μｍ
に設定される。
【００３１】
（本実施形態の効果など）
上述した構成により、本実施形態では、撮影光学系１０と光学ファインダ３０との並びと交差する２つの空きスペースに、第１モータ１５と第２モータ１８とをそれぞれ配置する。したがって、第１モータ１５および第２モータ１８を空間効率よく配置することができ、光学ユニット３を小型化することが可能となる。
【００３２】
また、本実施形態では、撮影光学系１０と光学ファインダ３０と第１モータ１５と第２モータ１８とに囲まれた中間スペースにガイド軸２１を配置する。したがって、ガイド軸２１を空間効率よく配置し、光学ユニット３を小型化することが可能となる。
さらに、このようなガイド軸２１の中央配置により、「第１モータ１５の力の作用点」と「ガイド軸２１」とが近接する。そのため、相互間に生じる反力の影響が軽減され、第１レンズ室１１ａに生じるたわみや動摩擦力などを小さく抑えることができる。したがって、第１レンズ群１１を円滑にスライドさせることが可能となる。
【００３３】
また、上述したガイド軸２１の中央配置により、「第２モータ１８の力の作用点」と「ガイド軸２１」とが近接する。そのため、相互間に生じる反力の影響が軽減され、第２レンズ室１２ａに生じるたわみや動摩擦力などを小さく抑えることができる。したがって、第２レンズ群１２を円滑にスライドさせることが可能となる。
【００３４】
さらに、本実施形態では、第１モータ１５および第２モータ１８の前方スペースに、ホトインタラプタ１６およびホトインタラプタ１９をそれぞれ配置する。したがって、ホトインタラプタ１６，１９を空間効率よく配置することができ、光学ユニット３を小型化することが可能となる。
特に、このようなホトインタラプタ１６，１９の配置により、ホトインタラプタ１６，１９とガイド軸２１とを近接して配置することが可能となる。そのため、ホトインタラプタ１６，１９の位置では、レンズ群のたわみなどの影響を受けにくくなり、ホトインタラプタ１６，１９の検出精度を高めることが可能となる。
【００３５】
また、本実施形態では、第２モータ１８の駆動力を、第２レンズ室１２ａのフォロアピン１２ｃを介して、光学ファインダ３０側へ伝達する。したがって、光学ファインダ３０へ駆動力を伝達するための迂回経路を別途設ける必要がなく、光学ユニット３を小型化することが可能となる。
また、第２モータ１８，第２レンズ室１２ａおよび光学ファインダ３０の３つは、ガイド軸２１を中心に放射状に配置される。そのため、第２モータ１８の駆動力を、第２レンズ群１２および光学ファインダ３０に低損失かつ安定に伝達することが可能となる。
【００３６】
さらに、本実施形態では、第１モータ１５側の制御分解能が、第２モータ１８側の制御分解能よりも小さく設定される。したがって、撮影光学系１０の合焦位置を細かく位置決めすることが可能となり、撮影光学系１０の合焦精度を一段と高めることが可能となる。
また、本実施形態では、第２モータ１８側の推力が、第１モータ１５側の推力よりも大きく設定される。したがって、第２レンズ群１２のズーム移動を高速化することが可能となり、撮影光学系１０のズーム移動を短時間に完了することが可能となる。
【００３７】
さらに、本実施形態では、第２モータ１８側のストロークが、第１モータ１５側のストロークよりも長く設定される。したがって、第２レンズ群１２の移動距離が長くなり、撮影光学系１０のズーム倍率を一段と高めることが可能となる。
なお、上述した実施形態では、撮像素子１４を配置して電子カメラを構成しているが、本発明はこの構成に限定されるものではない。例えば、フィルムの給送機構などを撮像手段として配置することにより、銀塩カメラを構成してもよい。
また、上述した実施形態では、３群のレンズ構成からなる撮影光学系１０について説明したが、本発明はこの構成に限定されるものではない。一般的には、Ｎ群（Ｎ≧２）のレンズ構成からなる撮影光学系であれば、本発明を適用することができる。
【００３８】
【発明の効果】
（請求項１）
請求項１に記載の発明では、撮影光学系と光学ファインダとを並べて配置し、その並びと交差する向きに形成される２つのスペースに、第１駆動手段と第２駆動手段とをそれぞれ配置する。したがって、第１駆動手段と第２駆動手段とを空間効率よく配置することが可能となり、光学ユニットの小型化を実現することができる。
また、撮影光学系と光学ファインダとを近づけて配置することが可能となるため、撮影光学系と光学ファインダとの光軸間距離が離れず、光学ファインダのパララックスを小さく抑えることも可能となる。
【００３９】
また、請求項１に記載の発明では、撮影光学系とファインダ光学系と第１駆動手段と第２駆動手段とに囲まれて生じる中間スペースに、ガイド軸を配置する。そのため、ガイド軸を空間効率よく配置することができ、光学ユニットを小型化することが可能となる。
【００４０】
また、ガイド軸と第１駆動手段との距離が短いため、たわみや動摩擦力を低く抑え、第１レンズ群のスライド移動に伴うがたつきを小さく抑えることが可能となる。
さらに、ガイド軸と第２駆動手段との距離も短いため、たわみや動摩擦力を低く抑え、第２レンズ群のスライド移動に伴うがたつきを小さく抑えることも可能となる。
また、請求項１に記載の発明では、第２駆動手段の駆動力を、第２レンズ群を介して、光学ファインダ側へ伝達する。したがって、光学ファインダに駆動力を伝達するための迂回経路を別途設ける必要がなく、光学ユニットを小型化することが可能となる。
また、撮影光学系，光学ファインダおよび第２駆動手段の３つは、放射状に近接して配置されているため、第２駆動手段の駆動力を、第２レンズ群および光学ファインダに低損失で伝達することも可能となる。
【００４１】
（請求項２）
請求項２に記載の発明では、第１駆動手段および第２駆動手段のレンズ光軸に沿って生じる空きスペースに、第１センサおよび第２センサを配置する。したがって、第１センサおよび第２センサを空間効率よく配置することが可能となり、光学ユニットを小型化することが可能となる。
特に、請求項１のような構成では、第１センサおよび第２センサの近くにガイド軸が配置される。そのため、第１センサおよび第２センサの位置からは、レンズ群外枠のたわみなどの影響を受けにくく、レンズ位置の検出精度を一段と高めることが可能となる。
【００４３】
（請求項３）
請求項３に記載の発明では、第１駆動手段が第１レンズ群を細かく位置決めできるので、撮影光学系の合焦精度を高めることかできる。
【００４４】
（請求項４）
請求項４に記載の発明では、第２駆動手段からの高推力により第２レンズ群が高速移動するので、撮影光学系のズーム速度を高速化することが可能となる。
また、第２駆動手段は第２レンズ群を長ストロークで移動できるので、撮影光学系のズーム倍率を高めることも可能となる。
【図面の簡単な説明】
【図１】本実施形態における電子カメラの外観を示す斜視図である。
【図２】図１中に示すＡ−Ａ′の横断面を示す説明図である。
【図３】図２中に示すＢ−Ｂ′縦断面を示す説明図である。
【図４】図２中に示すＣ−Ｃ′縦断面を示す説明図である。
【図５】図２中に示すＤ−Ｄ′縦断面を示す説明図である。
【図６】従来の電子カメラ８０の内部レイアウトを示す図である。
【符号の説明】
１  カメラボディ
２  回動部
３  光学ユニット
１０  撮影光学系
１１  第１レンズ群
１１ａ  第１レンズ室
１１ｄ  スクリュー受け部
１１ｅ  スリット
１２  第２レンズ群
１２ａ  第２レンズ室
１２ｂ  シャッタユニット
１２ｃ  フォロアピン
１２ｄ  連結部
１３  第３レンズ
１４  撮像素子
１４ａ  フィルタ
１５  第１モータ
１５ａ  スクリュー
１６  ホトインタラプタ
１８  第２モータ
１８ａ  ボールねじ
１８ｂ  コマ
１９  ホトインタラプタ
２１  ガイド軸
２２  回転止め軸
２３  カム板
３０  光学ファインダ
３１  第１ファインダレンズ
３１ｃ  フォロアピン
３２  第２ファインダレンズ
３２ｃ  フォロアピン
３３  プリズム
８０  電子カメラ
８１  撮影光学系
８２  撮像素子
８３  バッテリ
８４  光学ファインダ
８５  閃光ユニット
８６  プリンタ
８７  ＤＣ／ＤＣコンバータ
８８  プリンタ用ロール紙
８９  プリンタ用モータ
【図１】
0004078705.tif 000002
【図２】
0004078705.tif 000003
【図３】
0004078705.tif 000004
【図４】
0004078705.tif 000005
【図５】
0004078705.tif 000006
【図６】
0004078705.tif 000007